(57)【特許請求の範囲】
【請求項１】
小便器のトラップ流出口と床面に設けられた排水管とを接続する排水ソケットにおいて、
施工面に固定される固定部と、前記固定部から立ち上がって前記排水管に接続される排水管接続フランジの少なくとも一部を収容する収容空間を形成する台座部と、前記台座部から立ち上がって上端に前記トラップ流出口が収納される開口が設けられている円筒部と、前記円筒部の内側と前記収容空間とを連通し、前記円筒部の開口軸心と偏心した位置に設けられた排出口と、を有するソケット本体と、
前記収容空間における前記排出口の周面と前記排水管接続フランジとの間に取付けられ、前記排出口と前記排水管接続フランジとの間をシールする排水管側シール部材と、
前記円筒部の上端に取付けられ、前記円筒部の開口に差し込まれた前記トラップ流出口と前記円筒部との間をシールする小便器側シール部材と、
を備えた排水ソケット。
【請求項２】
前記排水管側シール部材は円環状のシール部材であり、高さの異なる複数のシール部材から一つを選択して取り付け可能である
請求項１に記載の排水ソケット。
【請求項３】
前記円筒部の内側には、前記排出口の周囲に下端が支持され、上端で前記小便器側シール部材を支持する支持部が収納されている
請求項１または請求項２に記載の排水ソケット。
【請求項４】
前記排水ソケットは、前記収容空間に回転可能に収容された介設部材をさらに備え、
前記介設部材には前記排出口と連通する第二排出口が設けられている
請求項１から請求項３のいずれか１項に記載の排水ソケット。
【請求項５】
前記排出口の外形は、横方向に長い扁平形状である
請求項１から請求項３のいずれか１項に記載の排水ソケット。
【発明の詳細な説明】
【技術分野】
【０００１】
本発明は、排水ソケットに係り、特に、小便器のトラップ流出口と床面に設けられた排水管とを接続する排水ソケットに関する。
【背景技術】
【０００２】
従来から、小便器と床面に設けられた排水管とを接続するための手段として、排水ソケットが知られている。排水ソケットの入口部（上端部）と、小便器の流出口の出口部とを接続し、排水ソケットの出口部（下端部）と排水管の入口部とを接続することで小便器と排水管とが接続される。
【０００３】
近年、トイレのリフォームにおいて、既設壁を壊して新しい壁を設けるのではなく、既設壁に重ねて新しい壁を取付ける方法が一般的となっている。かかる方法によれば、リフォームの前後で壁面の位置が変わるため、その結果として、小便器側の流出口の軸心と排水管の軸心とが偏心してしまう。そのため、上述した従来の排水ソケットでは、小便器と排水管とを接続することができないという課題がある。
【０００４】
具体的には、床下の排水管の軸心の位置は壁面の位置に関わらず一定である。また、小便器の流出口の位置も予め定まっているため、例えばリフォーム等によって既設壁に新しい壁が取付けられることにより、壁面の位置が変化し、これに応じて小便器の設置位置も移動する。これに伴い、小便器側の流出口の軸心の位置が変化する。従って、リフォームによって壁面の位置が変化することで小便器側の流出口の軸心と排水管の軸心が偏心してしまい、従来の排水ソケットでは対応できないという課題がある。
【０００５】
そこで、上記課題を解決するべく、トイレのリフォーム等によって生じる排水心の変化に対応することができる排水ソケットが知られている（例えば、特許文献１参照）。
特許文献１に記載された排水ソケットは、小便器の排水口の出口部に接続される便器接続部材と、排水管の入口部に接続される排水管接続部材と、を備えている。さらに、便器接続部材は、排水口の出口部と接続される上側便器接続部材と、排水管接続部材と接続される下側便器接続部材と、から構成されており、下側便器接続部材は排水管接続部材に対して水平方向にスライド可能なスライド機構を有している。これにより、排水心の変化に対応することができる。
【先行技術文献】
【特許文献】
【０００６】
【特許文献１】特開２０１５−５５０９１号公報
【発明の概要】
【発明が解決しようとする課題】
【０００７】
しかしながら、上述した特許文献１の排水ソケットにおいては、便器接続部材が上側便器接続部材と下側便器接続部材とで構成されており、下側便器接続部材が排水管接続部材に対してスライドするスライド機構が設けられている。そのため、排水ソケットに使用される部材が多くなってしまうとともに構造が複雑化してしまい、部材間の隙間やスライド機構の隙間等から漏水してしまうといった懸念がある。
【０００８】
そこで、本発明は、上記課題を解決するためになされたものであり、小便器の流出口の軸心と排水管の軸心とが偏心している場合に対応させつつ、シンプルな構成で部材間からの漏水を抑制する排水ソケットの提供を目的としている。
【課題を解決するための手段】
【０００９】
小便器のトラップ流出口と床面に設けられた排水管とを接続する排水ソケットにおいて、施工面に固定される固定部と、固定部から立ち上がって排水管に接続される排水管接続フランジの少なくとも一部を収容する収容空間を形成する台座部と、台座部から立ち上がって上端にトラップ流出口が収納される開口が設けられている円筒部と、円筒部の内側と収容空間とを連通し、円筒部の開口軸心と偏心した位置に設けられた排出口と、を有するソケット本体と、収容空間における排出口の周面と排水管接続フランジとの間に取付けられ、排出口と排水管接続フランジとの間をシールする排水管側シール部材と、円筒部の上端に取付けられ、円筒部の開口に差し込まれたトラップ流出口と円筒部との間をシールする小便器側シール部材と、を備える。
【００１０】
この構成によれば、円筒部にはトラップ流出口が収納される開口が設けられ、この開口軸心と偏心した位置に排出口が設けられているので、例えば排水ソケットを回転させることで、円筒部の開口軸心を基準として排出口の位置を前後方向に移動させることができる。これにより、例えば、小便器の背面に化粧板等を設けることによってトラップ流出口と排水管とが偏心している場合においても、排水ソケットによって小便器と排水管とが接続される。また、排水ソケットがソケット本体と排水管側シール部材と小便器側シール部材との３部材で構成されているので、排水ソケットの構成をシンプルにすることができる。
そのため、化粧板等を取り外す工事や排水管の工事等を行うことなく、小便器のトラップ流出口と排水管とが偏心している場合に対応させつつ、シンプルな構成で排水ソケットの部材間からの漏水を抑制することができる。
【００１１】
本発明の一態様に係る排水ソケットにおいて、好ましくは、排水管側シール部材は円環状のシール部材であり、高さの異なる複数のシール部材から一つを選択して取り付け可能である。
【００１２】
この構成によれば、排水管側シール部材は、高さの異なる複数のシール部材から一つを選択して取り付け可能である。これにより、例えば、小便器と床面との間に、床タイルや、汚れの付着及び臭気の発生を抑制する汚垂石などの板状部が設けられ、台座部の収容空間の高さ（鉛直方向の長さ）が変化する場合においても、排水管側シール部材によって排出口と排水管との間をシールすることができる。そのため、小便器と床面との間に板状部が設けられる場合であっても、排水ソケットを容易に施工することができる。
【００１３】
本発明の一態様に係る排水ソケットにおいて、好ましくは、円筒部の内側には、排出口の周囲に下端が支持され、上端で小便器側シール部材を支持する支持部が収納されている。
【００１４】
この構成によれば、円筒部の内側には小便器側シール部材を支持する支持部が収納されているので、小便器側シール部材を介してトラップ流出口に円筒部を取り付けた際に、小便器側シール部材の撓みが抑制される。そのため、トラップ流出口と円筒部との間をより確実にシールすることができる。
【００１５】
本発明の一態様に係る排水ソケットにおいて、好ましくは、排水ソケットは収容空間に回転可能に収容された介設部材をさらに備え、介設部材には排出口と連通する第二排出口が設けられている。
【００１６】
この構成によれば、収容空間に回転可能に収容された介設部材には、排出口と連通する第二排出口が設けられているので、介設部材のみを回転移動させて第二排出口の位置を変更することができる。これにより、ソケット本体を移動させることがないため、排水ソケットの外形や、小便器における排水ソケットの収納スペースの自由度を上げることができる。
【００１７】
本発明の一態様に係る排水ソケットにおいて、好ましくは、排出口の外形は、横方向に長い扁平形状である。
【００１８】
この構成によれば、排出口の外形は横方向に長い扁平形状であるので、例えば、円筒部の開口軸心を回転軸として排水ソケットを回転させ、排出口の位置を前後方向に移動させたとき、排出口の外形が円形形状である場合に比べて、円筒部に対してより遠くの位置に排出口を配置させつつ、より大きな流路断面を確保することができる。そのため、小便器のトラップ流出口と排水管とが偏心している場合において、排出性能を損なうことなく、小便器と排水管とを接続することができる。
【発明の効果】
【００１９】
本発明によれば、小便器の流出口の軸心と排水管の軸心とが偏心している場合に対応させつつ、シンプルな構成で排水ソケットを構成する部材間からの漏水を抑制することができる。
【図面の簡単な説明】
【００２０】
【図１】本発明の第一実施形態に係る小便器の正面図である。
【図２】図１のＡ−Ａ線に沿って見た部分断面図である。
【図３】本発明の第一実施形態に係る排水ソケット及び排水管接続フランジの分解斜視図である。
【図４】本発明の第一実施形態に係る排水管の軸心がトラップ流出口の軸心よりも後方側にある場合の排水ソケットの接続構造を示す概略断面図である。
【図５】本発明の第一実施形態に係る排水管の軸心がトラップ流出口の軸心よりも前方側にある場合の排水ソケットの接続構造を示す概略断面図である。
【図６】本発明の第二実施形態に係る排水ソケット及び排水管接続フランジの分解斜視図である。
【図７】本発明の第二実施形態に係る排水管の軸心がトラップ流出口の軸心よりも後方側にある場合の排水ソケットの接続構造を示す概略断面図である。
【図８】本発明の第二実施形態に係る排水管の軸心がトラップ流出口の軸心よりも前方側にある場合の排水ソケットの接続構造を示す概略断面図である。
【図９】本発明の変形例に係る板状部が設けられていない場合の排水ソケットの接続構造を示す概略断面図である。
【発明を実施するための形態】
【００２１】
以下、本発明の実施の形態について添付図面を参照しながら説明する。なお、各図面中、同様の構成要素には同一の符号を付して詳細な説明は適宜省略する。
【００２２】
（第一実施形態）
＜小便器の構成＞
まず、図１及び図２を参照して、本発明の第一実施形態に係る排水ソケットが適用される小便器について説明する。
【００２３】
図１は、本発明の実施形態に係る小便器の正面図である。図２は、図１のＡ−Ａ線に沿って見た小便器の部分断面図である。なお、図２において、トラップ流入口１６の軸心がＸ、トラップ流出口１８の軸心がＹで示されている。
【００２４】
図１に示すように、小便器２は、平板形状の板状部４を介して床面Ｆに設置されており、小便器２の背面が壁面Ｗに沿うように設置されている（図２参照）。また、小便器２は、使用者から排泄された尿を受けるボウル部６と、ボウル部６の上方に設けられる吐水部８と、を有している。この吐水部８の上流側は図示しない給水源に接続されており、給水源からの洗浄水が吐水部８からボウル部６へ吐水される。
なお、本実施形態の板状部４は、汚れの付着及び臭気の発生を抑制する汚垂石である。
【００２５】
ここで、本実施形態では、小便器２が設けられる床面Ｆに沿う方向を水平方向、これと直交する方向を鉛直方向ということにする。
また、床面Ｆに対して小便器２が設けられる方向を上方向（上方）、これと反対側を下方向（下方）、壁面Ｗに対して小便器２が設けられる方向を前方向（前方）、これと反対側を後方向（後方）、上下方向及び前後方向と直交する方向のうち後方に向いて右側を右方向（右方）、左側を左方向（左方）、ということにする。
【００２６】
図２に示すように、ボウル部６の下方には排水部１０が設けられており、ボウル部６に排泄された尿及び吐水された洗浄水は、この排水部１０を通って床下に設けられた排水管１２へ排出される。排水管１２の上端である床面Ｆには、排水管１２から上方に向けて開口した入口部１２ａが形成されている。
【００２７】
排水部１０の上方には、トラップ蓋１４が設けられており、このトラップ蓋１４によって排水部１０の上流端に開口したトラップ流入口１６が隠蔽されている。排水部１０の下流側には、トラップ流出口１８が開口している。トラップ流出口１８の水平方向の流路断面は、トラップ流入口１６の水平方向の流路断面よりも大きく形成されている。また、トラップ流入口１６の軸心Ｘとトラップ流出口１８の軸心Ｙとは偏心しており、トラップ流入口１６及びトラップ流出口１８は、トラップ流入口１６の軸心Ｘよりもトラップ流出口１８の軸心Ｙが後方側になるように形成されている。
【００２８】
小便器２の底部であってトラップ流出口１８と板状部４との間には、排水ソケット収納空間２０が形成されている。排水ソケット収納空間２０には、上流端がトラップ流出口１８に接続され、下流端が後述する排水管接続フランジ２４を介して排水管１２に接続される排水ソケット２２が設けられている。
【００２９】
排水管１２には、排水管接続フランジ２４が取り付けられている。排水管接続フランジ２４は、円筒形状の筒部２４ａと、筒部２４ａの上端から外周方向に張り出して形成される鍔部２４ｂと、筒部２４ａの外周面を覆うように設けられるシール部２４ｃと、を有している。筒部２４ａは排水管１２の内部に挿入され、鍔部２４ｂは床面Ｆに沿うように取付けられる。また、排水管１２の内面と筒部２４ａの外周面との間にはシール部２４ｃが設けられており、シール部２４ｃによって排水管１２の内面と筒部２４ａの外周面との間がシールされている。なお、排水管接続フランジ２４は、排水ソケット２２と排水管１２を接続する機能だけでなく、一部排水管１２としての機能も果たす。
【００３０】
排水管接続フランジ２４は、鍔部２４ｂを床面Ｆに沿うように取付けられた状態で、床面Ｆに固定される。また、板状部４には、排水管接続フランジ２４の鍔部２４ｂの外径よりも大きな略円形の開口部４ａが形成されており、開口部４ａの内側に排水管接続フランジ２４が設けられている。
なお、この開口部４ａの位置や大きさは、排水管１２の位置や排水管接続フランジ２４の外径の大きさによって適宜選択される。
【００３１】
＜排水ソケットの構成＞
つぎに、図３及び図４を参照して、本発明の第一実施形態に係る排水ソケットについて説明する。
【００３２】
図３は、本発明の第一実施形態に係る排水ソケット及び排水管接続フランジの分解斜視図である。図４は、本発明の第一実施形態に係る排水管の軸心がトラップ流出口の軸心よりも後方側にある場合の排水ソケットの接続構造を示す概略断面図である。なお、図４において、トラップ流入口１６の軸心がＸ、トラップ流出口１８の軸心がＹ、第一排出口３６の軸心がＺ１で示されている。
なお、第一実施形態においては、第一排出口が排出口としての機能を果たす。
【００３３】
図３に示すように、排水ソケット２２は、トラップ流出口１８に取付けられる小便器側シール部材２６と、小便器側シール部材２６を介してトラップ流出口１８に接続されるソケット本体２８と、ソケット本体２８と排水管接続フランジ２４との間に設けられる排水管側シール部材３８と、を備えている。また、小便器側シール部材２６とソケット本体２８との間には、支持部４０が設けられている。
【００３４】
小便器側シール部材２６は、全体が略円盤状に形成されるシール部材であり、外周端部から下方側に向かって、後述するソケット本体２８の円筒部３４の外周面を覆う部分が連続して形成されている。小便器側シール部材２６の内側の孔には、上方から下方に向かって小便器のトラップ流出口１８が挿入され、トラップ流出口１８を形成している外周壁面に沿うように小便器側シール部材２６の内側の孔が変形する（図４参照）。また、小便器側シール部材２６の下面側における内側の孔の周囲には、後述する支持部４０の差込部４０ｂが差し込まれる溝が形成されている。
【００３５】
ソケット本体２８は、施工面に固定される固定部３０を有している。固定部３０はソケット本体２８の前方位置及び後方位置の２箇所に設けられており、それぞれに固定孔３０ａが設けられている。また、ソケット本体２８の中心から前方もしくは後方に向かうにつれてソケット本体２８を上方から見たときにおける左右方向の幅が徐々に小さくなるように、ソケット本体２８が形成されている。
【００３６】
また、ソケット本体２８は、固定部３０から立ち上がって収容空間３２ａを形成する台座部３２を有している。収容空間３２ａ内には、排水管１２及び排水管接続フランジ、排水管側シール部材３８が収容される。台座部３２は、水平方向において、排水管側シール部材３８の外径よりも収容空間３２ａが大きくなるように形成されている。
【００３７】
図４に示すように、台座部３２の上方には、台座部３２から立ち上がって上端にトラップ流出口１８が収納される開口３４ａが設けられている円筒部３４が形成されている。円筒部３４は、開口３４ａの軸心とトラップ流出口１８の軸心Ｙとが一致するように形成されている。また、円筒部３４とトラップ流出口１８との間に設けられる小便器側シール部材２６によって、トラップ流出口１８と円筒部３４の周方向がシールされている。
なお、一致するとは、完全に一致する場合と、効果を及ぼす程度にほぼ一致する場合とを含む。
【００３８】
円筒部３４の内側における台座部３２には、第一排出口３６が設けられている。第一排出口３６は、円筒部３４の内側と収容空間３２ａとを連通し、第一排出口３６の軸心Ｚ１は、円筒部３４の開口３４ａの軸心（トラップ流出口１８の軸心Ｙ）と偏心した位置に設けられている。トラップ流出口１８の軸心Ｙを回転軸としてソケット本体２８を回転させることによって、第一排出口３６の軸心Ｚ１がトラップ流出口１８の軸心Ｙの前方もしくは後方のいずれか一方に偏心するように、第一排出口３６の位置が変更される。
また、第一排出口３６の外形は、横方向に長い扁平形状であり、後述する排水管側シール部材３８の内側の径よりも小さく形成されている。なお、横方向とは、図３における左右方向であり、円筒部３４の開口３４ａの軸心と第一排出口３６の軸心Ｚ１とを水平方向に結ぶ方向と直交する方向である。
【００３９】
台座部３２の収容空間３２ａにおける第一排出口３６の周面と、排水管１２及び排水管接続フランジ２４との間には、排水管側シール部材３８が取付けられる。排水管側シール部材３８は、円環状のシール部材であり、排水管接続フランジ２４の鍔部２４ｂの上方に設けられている。また、排水管側シール部材３８は、高さの異なる複数のシール部材から一つを選択して取り付け可能であり、台座部３２の収容空間３２ａの高さと板状部４の高さとを合わせた高さに対応する排水管側シール部材３８が選択して設置される。
なお、排水管側シール部材３８としては、ドーナツ状の粘着材で構成されるＰシールを用いる。
【００４０】
円筒部３４の内側には、第一排出口３６の周囲に下端が支持され、上端で小便器側シール部材２６を支持する支持部４０が収納されている。支持部４０は、略円筒状に形成されており、台座部３２の上面において第一排出口３６の周囲に当接する当接部４０ａと、当接部４０ａから上方に延びて上端が小便器側シール部材２６に差し込まれる差込部４０ｂと、を有している。また、支持部４０は、小便器側シール部材２６の変形に合わせて、円筒部３４内を水平方向にスライド可能である。
【００４１】
当接部４０ａの外形は、略円錐状に形成されており、当接部４０ａの上端から上方に延びて差込部４０ｂが形成されている。
差込部４０ｂは、小便器側シール部材２６を介してトラップ流出口１８を内部に収容しつつ、小便器側シール部材２６の溝に差し込まれる。差込部４０ｂは、差込部４０ｂの内周面とトラップ流出口１８を形成している外壁面とによって、小便器側シール部材２６を周方向に挟み込むように形成されている。
【００４２】
＜動作及び作用＞
つぎに、図４及び図５を参照して、本発明の第一実施形態に係る小便器及び排水ソケット、排水管の接続手順について説明する。
【００４３】
図５は、本発明の第一実施形態に係る排水管の軸心がトラップ流出口の軸心よりも前方側にある場合の排水ソケットの接続構造を示す概略断面図である。なお、図５において、トラップ流入口１６の軸心がＸ、トラップ流出口１８の軸心がＹ、第一排出口３６の軸心がＺ１で示されている。
【００４４】
まず、図４を用いて、排水管１２の軸心がトラップ流出口１８の軸心Ｙよりも後方側にある場合（以下、「第一のパターン」と呼称する）の排水ソケット２２の接続手順を説明する。
【００４５】
図４に示すように、板状部４の開口部４ａの内側に排水管接続フランジ２４が配置されるように、床面Ｆに板状部４を取付ける。なお、排水管接続フランジ２４は、あらかじめ排水管１２に取付けられていることとする。
【００４６】
つづいて、排水管接続フランジ２４の鍔部２４ｂの上方に排水管側シール部材３８を設置する。さらにその上方において、板状部４の上面に固定部３０が配置されるように、ソケット本体２８の円筒部３４内に支持部４０が収納され且つ小便器側シール部材２６が取付けられた状態のソケット本体２８を設置する。このとき、第一排出口の軸心Ｚ１と排水管１２の軸心が一致するように、円筒部３４の開口３４ａの軸心（トラップ流出口１８の軸心Ｙ）を回転軸としてソケット本体２８を周方向に回転させて取付ける。つまり、円筒部３４の開口３４ａの軸心（トラップ流出口１８の軸心Ｙ）に対して、第一排出口の軸心Ｚ１が後方側にくるように、ソケット本体２８を回転させて取付ける。
なお、一致するとは、完全に一致する場合と、効果を及ぼす程度にほぼ一致する場合とを含む。
【００４７】
板状部４の上方にソケット本体２８を設置した後、固定部３０の固定孔３０ａに固定ネジ３０ｂを挿通させ、固定ネジ３０ｂによって固定部３０を板状部４に固定する。固定ネジ３０ｂを締め付けてソケット本体２８が板状部４に固定されると、排水管側シール部材３８は鍔部２４ｂの上面と台座部３２の下面によって上下方向に圧縮される。排水管側シール部材３８が上下方向に圧縮されるとともに、鍔部２４ｂの上面と台座部３２の下面に排水管側シール部材３８の上面及び下面が密着して排水ソケット２２と排水管接続フランジ２４との間がシールされる。
【００４８】
排水管側シール部材３８が上下方向に圧縮されることによって、排水ソケット２２と排水管接続フランジ２４との間がシールされるので、ソケット本体２８は排水管側シール部材３８に対して水平方向にスライド可能である。
【００４９】
排水ソケット２２が取付けられた後、排水ソケット２２の上方から下方に向かってトラップ流出口１８を小便器側シール部材２６の内側の孔に挿入するように小便器２が取付けられる。小便器２と排水ソケット２２とが接続されると、トラップ流出口１８と排水管１２とが排水ソケット２２を介して連通する。このようにして、第一のパターンの接続向きで各部材を接続することができる。
なお、図示は省略するが、小便器２と排水ソケット２２とが接続された後、小便器２は床面Ｆもしくは壁面Ｗに固定される。
【００５０】
つぎに、図５を用いて、排水管１２の軸心がトラップ流出口１８の軸心Ｙよりも前方側にある場合（以下、「第二のパターン」と呼称する）の排水ソケット２２の接続手順を説明する。
【００５１】
図５に示すように、板状部の開口部４ａの内側に排水管接続フランジ２４が配置されるように、床面Ｆに板状部４を取付ける。なお、排水管接続フランジ２４は、あらかじめ排水管１２に取付けられていることとする。
【００５２】
つづいて、排水管接続フランジ２４の鍔部２４ｂの上方に排水管側シール部材３８を設置する。さらにその上方において、板状部４の上面に固定部３０が配置されるように、ソケット本体２８の円筒部３４内に支持部４０が収納され且つ小便器側シール部材２６が取付けられた状態のソケット本体２８を設置する。このとき、第一排出口の軸心Ｚ１と排水管１２の軸心が一致するように、円筒部３４の開口３４ａの軸心（トラップ流出口１８の軸心Ｙ）を回転軸としてソケット本体２８を周方向に回転させて取付ける。つまり、円筒部３４の開口３４ａの軸心（トラップ流出口１８の軸心Ｙ）に対して、第一排出口の軸心Ｚ１が前方側にくるように、ソケット本体２８を回転させて取付ける。
なお、一致するとは、完全に一致する場合と、効果を及ぼす程度にほぼ一致する場合とを含む。
【００５３】
板状部４の上方にソケット本体２８を設置した後、固定部３０の固定孔３０ａに固定ネジ３０ｂを挿通させ、固定ネジ３０ｂによって固定部３０を板状部４に固定する。固定ネジ３０ｂを締め付けてソケット本体２８が板状部４に固定されると、排水管側シール部材３８は鍔部２４ｂの上面と台座部３２の下面によって上下方向に圧縮される。排水管側シール部材３８が上下方向に圧縮されるとともに、鍔部２４ｂの上面と台座部３２の下面に排水管側シール部材３８の上面及び下面が密着し、排水ソケット２２と排水管接続フランジ２４との間がシールされる。
【００５４】
排水管側シール部材３８が上下方向に圧縮されることによって、排水ソケット２２と排水管接続フランジ２４との間がシールされるので、ソケット本体２８は排水管側シール部材３８に対して水平方向にスライド可能である。
【００５５】
排水ソケット２２が取付けられた後、排水ソケット２２の上方から下方に向かってトラップ流出口１８を小便器側シール部材２６の内側の孔に挿入するように小便器２が取付けられる。小便器２と排水ソケット２２とが接続されると、トラップ流出口１８と排水管１２とが排水ソケット２２を介して連通する。このようにして、第二のパターンの接続向きで各部材を接続することができる。
なお、図示は省略するが、小便器２と排水ソケット２２とが接続された後、小便器２は床面Ｆもしくは壁面Ｗに固定される。
【００５６】
つまり、第一のパターンから第二のパターンへと排水ソケット２２の接続向きを変更する場合、もしくは、第二のパターンから第一のパターンへと排水ソケット２２の接続向きを変更する場合、トラップ流出口１８に対して、円筒部３４の開口３４ａの軸心を回転軸として排水ソケット２２を周方向に１８０度回転させればよい。
【００５７】
＜効果＞
上述した本発明の一実施形態による排水ソケット２２によれば、円筒部３４にはトラップ流出口１８が収納される開口３４ａが設けられ、この開口３４ａの軸心と偏心した位置に第一排出口３６が設けられているので、例えば排水ソケット２２を回転させることで、円筒部３４の開口３４ａの軸心を基準として第一排出口３６の位置を前後方向に移動させることができる。これにより、例えば、小便器２の背面に化粧板等を設けることによってトラップ流出口１８と排水管１２とが偏心している場合においても、排水ソケット２２によって小便器２と排水管１２とが接続される。また、排水ソケット２２がソケット本体２８と排水管側シール部材３８と小便器側シール部材２６との３部材で構成されているので、排水ソケット２２の構成をシンプルにすることができる。
そのため、化粧板等を取り外す工事や排水管の工事等を行うことなく、小便器２のトラップ流出口１８と排水管１２とが偏心している場合に対応させつつ、シンプルな構成で排水ソケットの部材間からの漏水を抑制することができる。
【００５８】
また、上述した本発明の一実施形態による排水ソケット２２によれば、排水管側シール部材３８は、高さの異なる複数のシール部材から一つを選択して取り付け可能である。これにより、例えば、小便器２と床面Ｆとの間に、床タイルや、汚れの付着及び臭気の発生を抑制する汚垂石などの板状部４が設けられ、台座部３２の収容空間３２ａの高さ（鉛直方向の長さ）が変化する場合においても、排水管側シール部材３８によって第一排出口３６と排水管１２との間をシールすることができる。そのため、小便器２と床面Ｆとの間に板状部４が設けられる場合であっても、排水ソケット２２を容易に施工することができる。
【００５９】
さらに、上述した本発明の一実施形態による排水ソケット２２によれば、円筒部３４の内側には小便器側シール部材２６を支持する支持部４０が収納されているので、小便器側シール部材２６を介してトラップ流出口１８に円筒部３４を取り付けた際に、小便器側シール部材２６の撓みが抑制される。そのため、トラップ流出口１８と円筒部３４との間をより確実にシールすることができる。
【００６０】
また、上述した本発明の一実施形態による排水ソケット２２によれば、第一排出口３６の外形は、横方向に長い扁平形状であるので、例えば、円筒部３４の開口３４ａの軸心を回転軸として排水ソケット２２を回転させ、第一排出口３６の位置を前後方向に移動させたとき、第一排出口３６の外形が円形形状である場合に比べて、円筒部３４に対してより遠くの位置に第一排出口３６を配置させつつ、より大きな流路断面を確保することができる。そのため、小便器２のトラップ流出口１８と排水管１２とが偏心している場合において、排出性能を損なうことなく、小便器２と排水管１２とを接続することができる。
【００６１】
さらに、上述した本発明の一実施形態による排水ソケット２２によれば、排水管接続フランジ２４とソケット本体２８との接続には、上下方向に圧縮されることでシールする排水案側シール部が設けられているので、排水管接続フランジ２４とソケット本体２８との接続を容易に行うことができる。そのため、例えば排水管接続フランジ２４が既存の部材である場合に、排水管接続フランジ２４を取り外すことなく、排水ソケット２２を取付けることができる。
【００６２】
また、上述した本発明の一実施形態による排水ソケット２２によれば、トラップ流出口１８の水平方向の流路断面及び円筒部３４の水平方向の流路断面は、トラップ流入口１６の水平方向の流路断面よりも大きく形成されている。これにより、トラップ流出口１８及び円筒部３４において、十分な排水流路断面を確保することができる。そのため、排水管１２の軸心とトラップ流出口１８の軸心とが偏心している場合においても、排出性能を向上させることができる。
【００６３】
（第二実施形態）
＜排水ソケットの構成＞
まず、図６及び図７を参照して、本発明の第二実施形態に係る排水ソケット２２について説明する。第二実施形態では、ソケット本体２８と排水管側シール部材との間において、第二排出口を有する介設部材４２が設けられている。
なお、第二実施形態においては、第二排出口が排出口としての機能を果たす。
【００６４】
図６は、本発明の第二実施形態に係る排水ソケット及び排水管接続フランジの分解斜視図である。図７は、本発明の第二実施形態に係る排水管の軸心がトラップ流出口の軸心よりも後方側にある場合の排水ソケットの接続構造を示す概略断面図である。なお、図７において、トラップ流入口１６の軸心がＸ、トラップ流出口１８の軸心がＹ、第一排出口３６の軸心がＺ１、第二排出口４４の軸心がＺ２で示されている。
【００６５】
なお、図６〜図８において、上述した本発明の第一実施形態による排水ソケット２２と同一の部分については同一の符号を付し、それらの説明は省略する。また、第二実施形態に係る排水ソケット２２が適用される小便器２の構成は、第一の実施形態における小便器２と同様である。
【００６６】
図６に示すように、排水ソケット２２は、トラップ流出口１８に取付けられる小便器側シール部材２６と、小便器側シール部材２６を介してトラップ流出口１８に接続されるソケット本体２８と、ソケット本体２８の下方に設けられる介設部材４２と、介設部材４２と排水管接続フランジ２４との間に設けられる排水管側シール部材３８と、を備えている。また、小便器側シール部材２６とソケット本体２８との間には、支持部４０が設けられている。
【００６７】
ソケット本体２８は、施工面に固定され固定部３０を有している。固定部３０はソケット本体の後方側に２箇所、前方側に１箇所設けられており、それぞれに固定孔３０ａが設けられている。また、ソケット本体２８の中心から前方に向かうにつれてソケット本体２８を上方から見たときにおける左右方向の幅が徐々に小さくなるように、ソケット本体２８が形成されている。
【００６８】
また、ソケット本体２８は、固定部３０から立ち上がって収容空間３２ａを形成する台座部３２を有している。収容空間３２ａ内には、介設部材４２が収容される。台座部３２は、水平方向において、排水管側シール部材３８の外径及び介設部材４２の外径よりも収容空間３２ａが大きくなるように形成されている。
【００６９】
図７に示すように、台座部３２の上方には、台座部３２から立ち上がって上端にトラップ流出口１８が収納される開口３４ａが設けられている円筒部３４が形成されている。円筒部３４は、開口３４ａの軸心とトラップ流出口１８の軸心Ｙとが一致するように形成されている。また、円筒部３４とトラップ流出口１８との間に設けられる小便器側シール部材２６によって、トラップ流出口と円筒部３４の周方向がシールされている。
なお、一致するとは、完全に一致する場合と、効果を及ぼす程度にほぼ一致する場合とを含む。
【００７０】
円筒部３４の内側における台座部３２には、第一排出口３６が設けられている。第一排出口３６は、円筒部３４の内側と収容空間３２ａとを連通し、第一排出口３６の軸心Ｚ１は、円筒部３４の軸心（トラップ流出口１８の軸心Ｙ）と偏心した位置に設けられている。トラップ流出口１８の軸心Ｙを回転軸としてソケット本体２８を回転させることによって、第一排出口の軸心Ｚ１がトラップ流出口１８の軸心Ｙの前方もしくは後方のいずれか一方に偏心するように、第一排出口３６の位置が変更される。また、第一排出口３６の外形は略円形に形成されている。
なお、第二実施形態において、第一排出口３６の軸心Ｚ１は円筒部３４の軸心（トラップ流出口１８の軸心Ｙ）と偏心した位置に設けられていなくてもよい。
【００７１】
介設部材４２は、施工面に固定される固定部４２ａを有しており、固定部４２ａは、左右方向に２箇所ずつ設けられている。固定部４２ａには、施工面に固定するための孔が設けられている（図６参照）。また、介設部材４２は、固定部４２ａから立ち上がって収容空間４２ｂを形成する台座部４２ｃを有している。介設部材４２の収容空間４２ｂ内には、排水管１２及び排水管接続フランジ２４、排水管側シール部材３８が収容される。介設部材４２の台座部４２ｃは、台座部３２の収容空間３２ａよりも小さく形成されている。
【００７２】
介設部材４２の台座部４２ｃには、第一排出口３６よりも径の小さい第二排出口４４が設けられている。第二排出口４４は、第一排出口３６と介設部材４２の収容空間４２ｂとを連通し、第二排出口４４の軸心Ｚ２は、円筒部３４の軸心（トラップ流出口１８の軸心Ｙ）及び第一排出口３６の軸心Ｚ１と偏心した位置に設けられている。第一排出口３６の軸心Ｚ１を回転軸として介設部材４２を回転させることによって、第二排出口Ｚ２の軸心Ｚ２が第一排出口の軸心Ｚ１の前方もしくは後方のいずれか一方に偏心するように第二排出口４４の位置が変更される。
また、第二排出口４４の外形は、横方向に長い扁平形状であり、排水管側シール部材３８の内側の径よりも小さく形成されている。なお、横方向とは、図６における左右方向であり、円筒部３４の開口３４ａの軸心と第一排出口３６の軸心Ｚ１とを水平方向に結ぶ方向と直交する方向である。
【００７３】
なお、図示は省略するが、台座部３２と介設部材４２との間における第一排出口３６及び第二排出口４４の周囲には、シール部材が設けられる。このシール部材は、台座部３２の下面と介設部材４２の上面とによって、上下方向に圧縮されて台座部３２と介設部材４２との間をシールする。
【００７４】
介設部材４２の収容空間４２ｂにおける第二排出口４４の周面と、排水管１２及び排水管接続フランジ２４との間には、排水管側シール部材３８が取付けられる。排水管側シール部材３８は、円環状のシール部材であり、排水管接続フランジ２４の鍔部２４ｂの上方に設けられている。また、介設部材４２の収容空間４２ｂの高さと板状部４の高さとを合わせた高さに対応する排水管側シール部材３８が選択して設置される。
なお、排水管側シール部材３８としては、ドーナツ状の粘着材で構成されるＰシールを用いる。
【００７５】
＜動作及び作用＞
つぎに、図７及び図８を参照して、本発明の第二実施形態に係る小便器及び排水ソケット、排水管の接続構造について説明する。
【００７６】
図８は、本発明の第二実施形態に係る排水管の軸心がトラップ流出口の軸心よりも前方側にある場合の排水ソケットの接続構造を示す概略断面図である。なお、図８において、トラップ流入口１６の軸心がＸ、トラップ流出口１８の軸心がＹ、第一排出口３６の軸心がＺ１、第二排出口４４の軸心がＺ２で示されている。
【００７７】
まず、図７を用いて、第一のパターンにおける排水ソケット２２の接続手順を説明する。
【００７８】
図７に示すように、板状部４の開口部４ａの内側に排水管接続フランジ２４が配置されるように、床面Ｆに板状部４を取付ける。なお、排水管接続フランジ２４は、あらかじめ排水管１２に取付けられていることとする。
【００７９】
つづいて、排水管接続フランジ２４の鍔部２４ｂの上方に排水管側シール部材３８を設置する。さらにその上方において、板状部４の上面に介設部材４２の固定部４２ａが配置されるように、介設部材４２を設置する。このとき、第二排出口の軸心Ｚ２と排水管１２の軸心が一致するように、介設部材４２を取付ける。つまり、円筒部３４の開口３４ａの軸心（トラップ流出口１８の軸心Ｙ）及び第一排出口の軸心Ｚ１に対して、第二排出口の軸心Ｚ２が後方側にくるように、介設部材４２を回転させて取付ける。
なお、一致するとは、完全に一致する場合と、効果を及ぼす程度にほぼ一致する場合とを含む。
【００８０】
板状部４の上方に介設部材４２を設置した後、介設部材４２の固定部４２ａに設けられた孔に図示しない固定ネジを挿通させ、固定ネジによって介設部材４２を板状部４に固定する。固定ネジを締め付けて介設部材４２が板状部４に固定されると、排水管側シール部材３８は鍔部２４ｂの上面と介設部材４２の台座部４２ｃの下面によって上下方向に圧縮される。排水管側シール部材３８が上下方向に圧縮されるとともに、鍔部２４ｂの上面と介設部材４２の台座部４２ｃの下面に排水管側シール部材３８の上面及び下面が密着して、排水ソケット２２と排水管接続フランジ２４との間がシールされる。
【００８１】
排水管側シール部材３８が上下方向に圧縮されることによって、介設部材４２と排水管接続フランジ２４との間がシールされるので、介設部材４２は排水管側シール部材３８に対して水平方向にスライド可能である。
【００８２】
つづいて、シール部材（図示せず）を介して、ソケット本体２８の円筒部３４内に支持部４０が収納され且つ小便器側シール部材２６が取付けられた状態のソケット本体２８を介設部材４２の上方に設置する。このとき、固定部３０が板状部４の上方且つ介設部材４２の外周側に設けられ、台座部３２の収容空間３２ａ内に介設部材４２の台座部４２ｃが収容される。
【００８３】
また、円筒部３４の開口３４ａの軸心（トラップ流出口１８の軸心Ｙ）と第二排出口の軸心Ｚ２との間に第一排出口の軸心Ｚ１が設けられるように、円筒部３４の開口３４ａの軸心（トラップ流出口１８の軸心Ｙ）を回転軸としてソケット本体２８を周方向に回転させて取付ける。つまり、円筒部３４の開口３４ａの軸心（トラップ流出口１８の軸心Ｙ）に対して、第一排出口の軸心Ｚ１が後方側にくるように、ソケット本体２８を回転させて取付ける。
【００８４】
排水ソケット２２が取付けられた後、排水ソケット２２の上方から下方に向かってトラップ流出口１８を小便器側シール部材２６の内側の孔に挿入するように小便器２が取付けられる。小便器２と排水ソケット２２とが接続されると、トラップ流出口１８と排水管１２とが排水ソケット２２を介して連通する。このようにして、第一のパターンの接続向きで各部材を接続することができる。
なお、図示は省略するが、小便器２と排水ソケット２２とが接続された後、小便器２は床面Ｆもしくは壁面Ｗに固定される。
【００８５】
つぎに、図８を用いて、第二のパターンにおける排水ソケット２２の接続手順を説明する。
【００８６】
図８に示すように、板状部４の開口部４ａの内側に排水管接続フランジ２４が配置されるように、床面Ｆに板状部４を取付ける。なお、排水管接続フランジ２４は、あらかじめ排水管１２に取付けられていることとする。
【００８７】
つづいて、排水管接続フランジ２４の鍔部２４ｂの上方に排水管側シール部材３８を設置する。さらにその上方において、板状部４の上面に介設部材４２の固定部４２ａが配置されるように、介設部材４２を設置する。このとき、第二排出口の軸心Ｚ２と排水管１２の軸心が一致するように、介設部材４２を取付ける。つまり、円筒部３４の開口３４ａの軸心（トラップ流出口１８の軸心Ｙ）及び第一排出口の軸心Ｚ１に対して、第二排出口の軸心Ｚ２が前方側にくるように、介設部材４２を回転させて取付ける。
なお、一致するとは、完全に一致する場合と、効果を及ぼす程度にほぼ一致する場合とを含む。
【００８８】
板状部４の上方に介設部材４２を設置した後、介設部材４２の固定部４２ａに設けられた孔に図示しない固定ネジを挿通させ、固定ネジによって介設部材４２を板状部４に固定する。固定ネジを締め付けて介設部材４２が板状部４に固定されると、排水管側シール部材３８は鍔部２４ｂの上面と介設部材４２の台座部４２ｃの下面によって上下方向に圧縮される。排水管側シール部材３８が上下方向に圧縮されるとともに、鍔部２４ｂの上面と介設部材４２の台座部４２ｃの下面に排水管側シール部材３８の上面及び下面が密着して、排水ソケット２２と排水管接続フランジ２４との間がシールされる。
【００８９】
排水管側シール部材３８が上下方向に圧縮されることによって、介設部材４２と排水管接続フランジ２４との間がシールされるので、介設部材４２は排水管側シール部材３８に対して水平方向にスライド可能である。
【００９０】
つづいて、シール部材（図示せず）を介して、ソケット本体２８の円筒部３４内に支持部４０が収納され且つ小便器側シール部材２６が取付けられた状態のソケット本体２８を介設部材４２の上方に設置する。このとき、固定部３０が板状部４の上方且つ介設部材４２の外周側に設けられ、台座部３２の収容空間３２ａ内に介設部材４２の台座部４２ｃが収容される。
【００９１】
また、円筒部３４の開口３４ａの軸心（トラップ流出口１８の軸心Ｙ）と第二排出口の軸心Ｚ２との間に第一排出口の軸心Ｚ１が設けられるように、円筒部３４の開口３４ａの軸心（トラップ流出口１８の軸心Ｙ）を回転軸としてソケット本体２８を周方向に回転させて取付ける。つまり、円筒部３４の開口３４ａの軸心（トラップ流出口１８の軸心Ｙ）に対して、第一排出口の軸心Ｚ１が前方側にくるように、ソケット本体２８を回転させて取付ける。
【００９２】
排水ソケット２２が取付けられた後、排水ソケット２２の上方から下方に向かってトラップ流出口１８を小便器側シール部材２６の内側の孔に挿入するように小便器２が取付けられる。小便器２と排水ソケット２２とが接続されると、トラップ流出口１８と排水管１２とが排水ソケット２２を介して連通する。このようにして、第二のパターンの接続向きで各部材を接続することができる。
なお、図示は省略するが、小便器２と排水ソケット２２とが接続された後、小便器２は床面Ｆもしくは壁面Ｗに固定される。
【００９３】
つまり、第一のパターンから第二のパターンへと排水ソケット２２の接続向きを変更する場合、もしくは、第二のパターンから第一のパターンへと排水ソケット２２の接続向きを変更する場合、トラップ流出口１８に対して、円筒部３４の開口３４ａの軸心を回転軸としてソケット本体２８及び介設部材４２を周方向に１８０度回転させればよい。
【００９４】
さらに、本実施形態においては、第一排出口３６の軸心Ｚ１を回転軸として介設部材４２を回転させることが可能である。つまり、第一排出口３６の軸心Ｚ１を回転軸として第二排出口４４を前後方向に移動させることが可能であるため、ソケット本体２８を回転させずに介設部材４２を回転させるだけで、第二排出口４４の位置を変更可能である。そのため、第一のパターン及び第二のパターンに加えて、第一のパターンよりも排水管１２の軸心とトラップ排出口の軸心Ｙとの間の距離が短い場合、または、第二のパターンよりも排水管１２の軸心とトラップ排出口の軸心Ｙとの間の距離が短い場合においても、排水管１２と小便器２のトラップ流出口１８とが接続可能である。
【００９５】
＜効果＞
上述した本発明の一実施形態による排水ソケット２２によれば、台座部３２の収容空間３２ａに回転可能に収容された介設部材４２には、第二排出口４４が設けられているので、介設部材４２のみを回転移動させて第二排出口４４の位置を変更することができる。これにより、ソケット本体２８を移動させることがないため、排水ソケット２２の外形や、小便器２における排水ソケット２２の収納スペースの自由度を上げることができる。
【００９６】
また、上述した本発明の一実施形態による排水ソケット２２によれば、第二排出口４４の外形は横方向に長い扁平形状であるので、例えば、円筒部３４の開口３４ａの軸心や第一排出口３６の軸心Ｚ１を回転軸として排水ソケット２２を回転させ、第二排出口４４の位置を前後方向に移動させたとき、第二排出口４４の外形が円形形状である場合に比べて、円筒部３４に対してより遠くの位置に第二排出口４４を配置させつつ、より大きな流路断面を確保することができる。そのため、小便器２のトラップ流出口１８と排水管１２とが偏心している場合において、排出性能を損なうことなく、小便器２と排水管１２とを接続することができる。
【００９７】
さらに、上述した本発明の一実施形態による排水ソケット２２によれば、円筒部３４の開口３４ａの軸心と、第一排出口の軸心Ｚ１と、第二排出口の軸心Ｚ２とがそれぞれ偏心している。また、円筒部３４の開口３４ａの軸心を回転軸として第一排出口３６を周方向に回転可能であり、第一排出口の軸心Ｚ１を回転軸として第二排出口４４が周方向に回転可能である。これにより、第二排出口４４の位置の自由度を上げることができる。そのため、トラップ流出口１８の軸心と排水管１２の軸心との距離が異なる場合の複数のパターンに対応させて、小便器２と排水管１２とを接続させることができる。
（変形例）
以上、本発明の実施形態について説明したが、本発明は、上述した実施形態に限定されるものではない。
【００９８】
例えば、小便器２と床面Ｆとの間に板状部４が設けられている構成を説明したが、板状部４を設けずに、床面Ｆに直接小便器２が設置されていてもよい。
【００９９】
ここで、図９を参照して、板状部４を設けずに床面Ｆに直接小便器２を設置する場合の構成を説明する。
【０１００】
図９は、本発明の変形例に係る板状部が設けられていない場合の排水ソケットの接続構造を示す概略断面図である。
なお、図９において、上述した本発明の第一実施形態による排水ソケット２２と同一の部分については同一の符号を付し、それらの説明は省略する。
【０１０１】
図９に示すように、小便器２は、床面Ｆに設置されており、小便器２の背面が壁面Ｗに沿うように設置されている。また、小便器２のトラップ流出口１８には、排水ソケット２２が接続されており、トラップ流出口１８と排水管１２とが連通している。
【０１０２】
排水ソケット２２は、トラップ流出口１８に取付けられる小便器側シール部材２６と、小便器側シール部材２６を介してトラップ流出口１８に接続されるソケット本体２８と、ソケット本体２８と排水管接続フランジ２４との間に設けられる排水管側シール部材３８と、を備えている。また、排水ソケット２２は、ソケット本体２８の固定部３０が床面Ｆに設けられるように取付けられる。
【０１０３】
ソケット本体２８の台座部３２の収容空間３２ａにおける第一排出口３６の周面と、排水管１２及び排水管接続フランジ２４との間には、排水管側シール部材３８が取付けられる。排水管側シール部材３８は、円環状のシール部材であり、排水管接続フランジ２４の鍔部２４ｂの上方に設けられている。また、排水管側シール部材３８は、高さの異なる複数のシール部材から一つを選択して取り付け可能であり、台座部３２の収容空間３２ａの高さに対応する排水管側シール部材３８が選択して設置される。本変形例に係る排水管側シール部材３８は、第一実施形態に係る排水管側シール部材３８よりも上下方向の厚みが小さく形成されている。
【０１０４】
また、例えば、板状部４は、汚れの付着及び臭気の発生を抑制する汚垂石である構成を説明したが、タイル部材や小便器２との高さを調整する部材などでもよい。
【０１０５】
また、例えば、排水管接続フランジ２４はあらかじめ排水管１２に取付けられている構成を説明したが、小便器２を設置するときと同時に新しく設置してもよいし、既に取付けられている排水管接続フランジ２４と新しい排水管接続フランジ２４とを取り替えて設置してもよい。
【０１０６】
また、例えば、排水管側シール部材３８はＰシールである構成を説明したが、パッキンやゴム製のシール部材を用いてもよい。
【０１０７】
また、例えば、介設部材４２は板状部４の上方に固定される構成を説明したが、板状部４の開口部４ａ内における床面Ｆに固定されてもよい。
【０１０８】
また、例えば、台座部３２と介設部材４２との間における第一排出口３６及び第二排出口４４の周囲には、シール部材が設けられる構成を説明したが、このシール部材としてＰシールを用いてもよいし、パッキンやゴム製のシール部材を用いてもよい。
【０１０９】
前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
２    小便器
４    板状部
４ａ  開口部
６    ボウル部
６ａ  ボウル面
８    吐水部
１０    排水部
１２    排水管
１２ａ  入口部
１４    トラップ蓋
１６    トラップ流入口
１８    トラップ流出口
２０    排水ソケット収納空間
２２    排水ソケット
２４    排水管接続フランジ
２４ａ  筒部
２４ｂ  鍔部
２４ｃ  シール部
２６    小便器側シール部材
２８    ソケット本体
３０    固定部
３０ａ  固定孔
３０ｂ  固定ネジ
３２    台座部
３２ａ  収容空間
３４    円筒部
３４ａ  開口
３６    第一排出口
３８    排水管側シール部材
４０    支持部
４０ａ  当接部
４０ｂ  差込部
４２    介設部材
４２ａ  固定部
４２ｂ  収容空間
４２ｃ  台座部
４４    第二排出口
Ｆ      床面
Ｗ      壁面
Ｘ      トラップ流入口の軸心
Ｙ      トラップ流出口の軸心
Ｚ１    第一排出口の軸心
Ｚ２    第二排出口の軸心
【図１】
0006631936.tif 000002
【図２】
0006631936.tif 000003
【図３】
0006631936.tif 000004
【図４】
0006631936.tif 000005
【図５】
0006631936.tif 000006
【図６】
0006631936.tif 000007
【図７】
0006631936.tif 000008
【図８】
0006631936.tif 000009
【図９】
0006631936.tif 000010